(57)【特許請求の範囲】
【請求項１】
ユーザデータベースと取引データベースとオークションサーバと第１銀行サーバと第２銀行サーバと処理サーバを有し、仲介業者を介して行う買手ユーザと売手ユーザとの取引に基づいて、上記買手ユーザの取引口座から上記売手ユーザの取引口座へ売買代金を送金させる送金システムにおいて、
上記ユーザデータベースは、上記買手ユーザ及び上記売手ユーザの少なくとも氏名、住所、ユーザＩＤを含むユーザデータを記憶し、
上記オークションサーバは、上記売手ユーザから得られる出品情報の受付と、買手ユーザを落札者とするオークション実行手段を有し、
上記取引データベースは、少なくとも上記買手ユーザ及び売手ユーザを特定するユーザＩＤ、取引口座ＩＤ、上記オークション実行手段の結果に基づく取引データを記憶し、
上記処理サーバは、上記買手ユーザ又は上記売手ユーザのうち少なくとも一方からのユーザＩＤ及び取引データを含む送金指令を取得する送金指令取得手段、上記送金指令と上記取引データベースとを照合する照合手段、上記照合手段による照合の結果、上記送金指令に含まれるユーザＩＤ及び取引データと、上記取引データベースに記憶された上記オークション実行手段の結果であるユーザＩＤ及び取引データが一致する場合に、上記取引データベースから取引口座ＩＤを抽出する抽出手段、この抽出手段により抽出された上記取引口座ＩＤに基づいて第１銀行サーバに開設してある上記買手ユーザの取引口座から、第１銀行サーバに開設してある、上記買手ユーザの取引口座をもつ銀行と同一の銀行の上記仲介業者の第１取引口座へ上記売買代金の振替処理依頼を第１銀行サーバに指示するとともに、第１銀行とは異なる第２銀行の第２銀行サーバに開設してある上記仲介業者の第２取引口座から、第２銀行サーバに開設してある、上記仲介業者の第２取引口座をもつ銀行と同一の銀行の上記売手ユーザの取引口座へ上記売買代金の振替処理依頼を第２銀行サーバに指示する振替指示手段を有し、
上記第１銀行サーバは、上記振替処理依頼により、上記買手ユーザの取引口座から上記仲介業者の第１取引口座へ上記売買代金の振替処理を行う手段を有し、
上記第２銀行サーバは、上記振替処理依頼により、上記仲介業者の第２取引口座から上記売手ユーザの取引口座へ上記売買代金の振替処理を行う手段を有することを特徴とする送金システム。
【請求項２】
ユーザデータベースと取引データベースとオークションサーバと第１銀行サーバと第２銀行サーバと処理サーバを含むコンピュータを動作させるためのプログラムにおいて、
上記ユーザデータベースは、上記買手ユーザ及び上記売手ユーザの少なくとも氏名、住所、ユーザＩＤを含むユーザデータを記憶し、
上記オークションサーバは、上記売手ユーザから得られる出品情報の受付と、買手ユーザを落札者とするオークション実行手段を有し、
上記取引データベースは、少なくとも上記買手ユーザ及び売手ユーザを特定するユーザＩＤ、取引口座ＩＤ、上記オークション実行手段の結果に基づく取引データを記憶し、
上記買手ユーザ又は上記売手ユーザのうち少なくとも一方からのユーザＩＤ及び取引データを含む送金指令を取得する送金指令取得手段と、
上記送金指令と上記取引データベースとを照合する照合手段と、
上記照合手段による照合の結果、上記送金指令に含まれるユーザＩＤ及び取引データと、上記取引データベースに記憶された上記オークション実行手段の結果であるユーザＩＤ及び取引データが一致する場合に、上記取引データベースから取引口座ＩＤを抽出する抽出手段と、
この抽出手段により抽出された上記取引口座ＩＤに基づいて第１銀行サーバに開設してある上記買手ユーザの取引口座から、第１銀行サーバに開設してある、上記買手ユーザの取引口座をもつ銀行と同一の銀行の仲介業者の取引口座へ上記売買代金の振替処理依頼を第１銀行サーバに指示するとともに、上記第１銀行サーバが設定される第１銀行とは異なる第２銀行に設定される第２銀行サーバに開設してある上記仲介業者の取引口座から、第２銀行サーバに開設してある、上記仲介業者の第２取引口座をもつ銀行と同一の銀行の上記売手ユーザの取引口座へ上記売買代金の振替処理依頼を第２銀行サーバに指示する振替指示手段とを備え、
上記第１銀行サーバは、上記振替処理依頼により、上記買手ユーザの取引口座から上記仲介業者の第１取引口座へ上記売買代金の振替処理を行う手段を有し、
上記第２銀行サーバは、上記振替処理依頼により、上記仲介業者の第２取引口座から上記売手ユーザの取引口座へ上記売買代金の振替処理を行う手段を有することを特徴とするプログラム。
【請求項３】
ユーザデータベースと取引データベースとオークションサーバと第１銀行サーバと第２銀行サーバと処理サーバを用い、仲介業者を介して行う買手ユーザと売手ユーザとの取引に基づいて、上記買手ユーザの取引口座から上記売手ユーザの取引口座へ売買代金を送金させるコンピュータによる送金方法において、
上記ユーザデータベースにより、上記買手ユーザ及び上記売手ユーザの少なくとも氏名、住所、ユーザＩＤを含むユーザデータを記憶するユーザデータベース記憶ステップと、
上記オークションサーバにより、上記売手ユーザから得られる出品情報の受付と、買手ユーザを落札者とするオークション実行ステップと、
上記取引データベースにより、少なくとも上記買手ユーザ及び売手ユーザを特定するユーザＩＤ、取引口座ＩＤ、上記オークション実行ステップの結果に基づく取引データを含む取引データベースを記憶する取引データベース記憶ステップと、
上記処理サーバにより、上記買手ユーザ又は上記売手ユーザのうち少なくとも一方からのユーザＩＤ及び取引データを含む送金指令を取得する送金指令取得ステップと、
上記処理サーバにより、上記送金指令と上記取引データベースとを照合する照合ステップと、
上記処理サーバにより、上記照合ステップによる照合の結果、上記送金指令に含まれるユーザＩＤ及び取引データと、上記取引データベースに記憶された上記オークション実行ステップの結果であるユーザＩＤ及び取引データが一致する場合に、上記取引データベースから取引口座ＩＤを抽出する抽出ステップと、
上記処理サーバにより、この抽出ステップにより抽出された上記取引口座ＩＤに基づいて、第１銀行サーバに開設してある上記買手ユーザの取引口座から、第１銀行サーバに開設してある、上記買手ユーザの取引口座をもつ銀行と同一の銀行の仲介業者の取引口座へ上記売買代金の振替処理依頼を第１銀行サーバに指示するとともに、上記第１銀行サーバが設定される第１銀行とは異なる第２銀行に設定される第２銀行サーバに開設してある上記仲介業者の取引口座から、第２銀行サーバに開設してある、上記仲介業者の第２取引口座をもつ銀行と同一の銀行の上記売手ユーザの取引口座へ上記売買代金の振替処理依頼を第２銀行サーバに指示する振替指示ステップとを備え、
上記第１銀行サーバは、上記振替処理依頼により、上記買手ユーザの取引口座から上記仲介業者の第１取引口座へ上記売買代金の振替処理を行い、
上記第２銀行サーバは、上記振替処理依頼により、上記仲介業者の第２取引口座から上記売手ユーザの取引口座へ上記売買代金の振替処理を行うことを特徴とする送金方法。
【発明の詳細な説明】
【０００１】
【発明の属する技術分野】
本発明は、ネットオークションやオンラインショッピング等の取引で発生した売買代金等の送金を行うための送金システム、プログラム及び送金方法に関する。
【０００２】
【従来の技術】
ネットオークションやオンラインショッピング等のようにネット（通信回線・インターネット等）上で物品やサービスの取引が頻繁に行われている。特に、個人間、個人と小規模小売店との間等の取引が多くなり、このような売買代金の送金には、主に銀行振替・クレジットカード・電子マネー等を利用して行われている。
【０００３】
【発明が解決しようとする課題】
上述した従来の売買代金の送金方法であると次のような問題があった。すなわち、送金を行う側は売買代金を送金する必要があるたびに銀行振替を行わなければならず煩雑であった。また、クレジットカードや電子マネーでは送金を受け取る側の導入コストが大きいという問題があった。一方、ユーザのＩＤやパスワードが盗用されて、取引に基づかない不正な送金が行われる虞もある。
【０００４】
そこで本発明は、売買代金の送金を簡単、かつ、安全に行うことができる送金システム、プログラム及び送金方法を提供することを目的としている。
【０００５】
【課題を解決するための手段】
上記課題を解決し目的を達成するために、本発明の送金システム、プログラム及び送金方法は次のように構成されている。
【００１４】
（１）ユーザデータベースと取引データベースとオークションサーバと第１銀行サーバと第２銀行サーバと処理サーバを有し、仲介業者を介して行う買手ユーザと売手ユーザとの取引に基づいて、上記買手ユーザの取引口座から上記売手ユーザの取引口座へ売買代金を送金させる送金システムにおいて、上記ユーザデータベースは、上記買手ユーザ及び上記売手ユーザの少なくとも氏名、住所、ユーザＩＤを含むユーザデータを記憶し、上記オークションサーバは、上記売手ユーザから得られる出品情報の受付と、買手ユーザを落札者とするオークション実行手段を有し、上記取引データベースは、少なくとも上記買手ユーザ及び売手ユーザを特定するユーザＩＤ、取引口座ＩＤ、上記オークション実行手段の結果に基づく取引データを記憶し、上記処理サーバは、上記買手ユーザ又は上記売手ユーザのうち少なくとも一方からのユーザＩＤ及び取引データを含む送金指令を取得する送金指令取得手段、上記送金指令と上記取引データベースとを照合する照合手段、上記照合手段による照合の結果、上記送金指令に含まれるユーザＩＤ及び取引データと、上記取引データベースに記憶された上記オークション実行手段の結果であるユーザＩＤ及び取引データが一致する場合に、上記取引データベースから取引口座ＩＤを抽出する抽出手段、この抽出手段により抽出された上記取引口座ＩＤに基づいて第１銀行サーバに開設してある上記買手ユーザの取引口座から、第１銀行サーバに開設してある、上記買手ユーザの取引口座をもつ銀行と同一の銀行の上記仲介業者の第１取引口座へ上記売買代金の振替処理依頼を第１銀行サーバに指示するとともに、第１銀行とは異なる第２銀行の第２銀行サーバに開設してある上記仲介業者の第２取引口座から、第２銀行サーバに開設してある、上記仲介業者の第２取引口座をもつ銀行と同一の銀行の上記売手ユーザの取引口座へ上記売買代金の振替処理依頼を第２銀行サーバに指示する振替指示手段を有し、上記第１銀行サーバは、上記振替処理依頼により、上記買手ユーザの取引口座から上記仲介業者の第１取引口座へ上記売買代金の振替処理を行う手段を有し、上記第２銀行サーバは、上記振替処理依頼により、上記仲介業者の第２取引口座から上記売手ユーザの取引口座へ上記売買代金の振替処理を行う手段を有することを特徴とする。
（２）ユーザデータベースと取引データベースとオークションサーバと第１銀行サーバと第２銀行サーバと処理サーバを含むコンピュータを動作させるためのプログラムにおいて、上記ユーザデータベースは、上記買手ユーザ及び上記売手ユーザの少なくとも氏名、住所、ユーザＩＤを含むユーザデータを記憶し、上記オークションサーバは、上記売手ユーザから得られる出品情報の受付と、買手ユーザを落札者とするオークション実行手段を有し、上記取引データベースは、少なくとも上記買手ユーザ及び売手ユーザを特定するユーザＩＤ、取引口座ＩＤ、上記オークション実行手段の結果に基づく取引データを記憶し、上記買手ユーザ又は上記売手ユーザのうち少なくとも一方からのユーザＩＤ及び取引データを含む送金指令を取得する送金指令取得手段と、上記送金指令と上記取引データベースとを照合する照合手段と、上記照合手段による照合の結果、上記送金指令に含まれるユーザＩＤ及び取引データと、上記取引データベースに記憶された上記オークション実行手段の結果であるユーザＩＤ及び取引データが一致する場合に、上記取引データベースから取引口座ＩＤを抽出する抽出手段と、この抽出手段により抽出された上記取引口座ＩＤに基づいて第１銀行サーバに開設してある上記買手ユーザの取引口座から、第１銀行サーバに開設してある、上記買手ユーザの取引口座をもつ銀行と同一の銀行の仲介業者の取引口座へ上記売買代金の振替処理依頼を第１銀行サーバに指示するとともに、上記第１銀行サーバが設定される第１銀行とは異なる第２銀行に設定される第２銀行サーバに開設してある上記仲介業者の取引口座から、第２銀行サーバに開設してある、上記仲介業者の第２取引口座をもつ銀行と同一の銀行の上記売手ユーザの取引口座へ上記売買代金の振替処理依頼を第２銀行サーバに指示する振替指示手段とを備え、上記第１銀行サーバは、上記振替処理依頼により、上記買手ユーザの取引口座から上記仲介業者の第１取引口座へ上記売買代金の振替処理を行う手段を有し、上記第２銀行サーバは、上記振替処理依頼により、上記仲介業者の第２取引口座から上記売手ユーザの取引口座へ上記売買代金の振替処理を行う手段を有することを特徴とする。
（３）ユーザデータベースと取引データベースとオークションサーバと第１銀行サーバと第２銀行サーバと処理サーバを用い、仲介業者を介して行う買手ユーザと売手ユーザとの取引に基づいて、上記買手ユーザの取引口座から上記売手ユーザの取引口座へ売買代金を送金させるコンピュータによる送金方法において、上記ユーザデータベースにより、上記買手ユーザ及び上記売手ユーザの少なくとも氏名、住所、ユーザＩＤを含むユーザデータを記憶するユーザデータベース記憶ステップと、上記オークションサーバにより、上記売手ユーザから得られる出品情報の受付と、買手ユーザを落札者とするオークション実行ステップと、上記取引データベースにより、少なくとも上記買手ユーザ及び売手ユーザを特定するユーザＩＤ、取引口座ＩＤ、上記オークション実行ステップの結果に基づく取引データを含む取引データベースを記憶する取引データベース記憶ステップと、上記処理サーバにより、上記買手ユーザ又は上記売手ユーザのうち少なくとも一方からのユーザＩＤ及び取引データを含む送金指令を取得する送金指令取得ステップと、上記処理サーバにより、上記送金指令と上記取引データベースとを照合する照合ステップと、上記処理サーバにより、上記照合ステップによる照合の結果、上記送金指令に含まれるユーザＩＤ及び取引データと、上記取引データベースに記憶された上記オークション実行ステップの結果であるユーザＩＤ及び取引データが一致する場合に、上記取引データベースから取引口座ＩＤを抽出する抽出ステップと、上記処理サーバにより、この抽出ステップにより抽出された上記取引口座ＩＤに基づいて、第１銀行サーバに開設してある上記買手ユーザの取引口座から、第１銀行サーバに開設してある、上記買手ユーザの取引口座をもつ銀行と同一の銀行の仲介業者の取引口座へ上記売買代金の振替処理依頼を第１銀行サーバに指示するとともに、上記第１銀行サーバが設定される第１銀行とは異なる第２銀行に設定される第２銀行サーバに開設してある上記仲介業者の取引口座から、第２銀行サーバに開設してある、上記仲介業者の第２取引口座をもつ銀行と同一の銀行の上記売手ユーザの取引口座へ上記売買代金の振替処理依頼を第２銀行サーバに指示する振替指示ステップとを備え、上記第１銀行サーバは、上記振替処理依頼により、上記買手ユーザの取引口座から上記仲介業者の第１取引口座へ上記売買代金の振替処理を行い、上記第２銀行サーバは、上記振替処理依頼により、上記仲介業者の第２取引口座から上記売手ユーザの取引口座へ上記売買代金の振替処理を行うことを特徴とする。
【００１５】
【発明の実施の形態】
図１は本発明の第１の実施の形態に係る送金システム１０の概要を示す図、図２は送金システム１０の処理手順を示す説明図、図３は振替指令の概要を示す図である。送金システム１０は、インターネットや電話回線等の通信回線２０と、この通信回線２０に接続されたユーザ端末３０，３１、銀行サーバ４０，４１、メインサーバ５０とを備えている。
【００１６】
ユーザ端末３０，３１は、ユーザが使用するパーソナルコンピュータ、携帯電話等の端末を示している。また、銀行サーバ４０，４１はユーザの銀行口座が開設されている銀行に設定されている。さらにメインサーバ５０はオークションを開催する仲介業者が開設している。
【００１７】
メインサーバ５０は、送金の処理を行う処理サーバ６０と、ユーザデータベースＤ１を記憶するユーザデータベース記憶部７０と、送金等の情報が記録された取引データベースＤ２を記憶する取引データベース記憶部８０と、オークションサーバ９０とを備えている。
【００１８】
処理サーバ６０は、予め定められたプログラムに沿って後述するようにしてデータを処理する機能を有している。ユーザデータベースＤ１には、ユーザＩＤ、ユーザの氏名、住所、電話番号、パスワード、年齢、性別、メールアドレス、オークションに関する履歴（出品歴・落札歴）等が記録されており、オークションによる取引を行う際に用いられる。
【００１９】
取引データベースＤ２には、ユーザＩＤ、セキュリティ用パスワード、取引記録、連絡記録、口座ＩＤ（取引口座ＩＤ）、口座残高管理等が記録されており、取引で発生した売買代金の送金に用いられる。
【００２０】
オークションサーバ９０は、ユーザ間におけるオークションを実行する機能を有しており、ユーザデータベースＤ１に基づいて開催されたオークションにより取引が成立すると、その内容が上記した取引データベース記憶部８０に送信され、取引データベースＤ２が更新される。
【００２１】
このように構成された送金システム１０では、次のようにして売買代金の送金が行われる。なお、ユーザ端末３０はユーザＡが用い、ユーザ端末３１はユーザＢが用いることとし、銀行サーバ４０を運営するＸ銀行にはユーザＡの口座Ｋ１、銀行サーバ４１を運営するＹ銀行にはユーザＢの口座Ｋ２が開設されていることとする。また、ユーザＡ，ユーザＢは予めユーザデータベースＤ１及び取引データベースＤ２への登録は終了しているものとし、オークション及び送金に用いるためのユーザＩＤ及びパスワードが設定されているものとする。
【００２２】
最初にオークションサーバ９０にて、ユーザＢ（売手ユーザ）が出品し、ユーザＡ（買手ユーザ）が落札する取引が行われる。この取引の結果に基づいて取引データベースＤ２が更新される。
【００２３】
ユーザＡはユーザ端末３０により、処理サーバ６０の提供する送金依頼のサイトにアクセスし、ユーザＩＤやパスワード等の入力によりユーザＡ本人からのアクセスであることの認証を行った後、送金依頼の処理を行う。これによりユーザＡ及びユーザＢの個人ＩＤ、送金額を含む送金依頼データが処理サーバ６０に送られる。
【００２４】
処理サーバ６０では、送金依頼データに基づいてユーザＡからユーザＢへの送金が正当なものであるか否かを、取引データベース記憶部８０に照会する。これにより、オークションの取引とは無関係な不正な送金を防止することができる。
【００２５】
照会の結果、送金依頼が正当な場合であると判断された場合は、送金依頼データに基づいて、処理サーバ６０はユーザＢに対し、ユーザＡからの売買代金の送金を受領するか否かを問い合わせる電子メールを送付する。送金依頼が正当でない場合には、その旨をユーザＡに通知し、処理を終了する。
【００２６】
ユーザＢはユーザ端末３１により、受領した電子メールに基づいて処理サーバ６０の提供する送金受領のサイトにアクセスする。ここで、ユーザＩＤやパスワード等の入力によりユーザＢ本人からのアクセスであることの認証を行った後、ユーザＢは受領許可の処理を行う。これにより受領許可データが処理サーバ６０に送られる。なお、ユーザＢが受領不可の処理を行った場合には、受領不許可データが処理サーバ６０に送られ、処理サーバ６０ではその旨をユーザＡに通知し、処理を終了する。
【００２７】
次に、処理サーバ６０では、受領許可データを取得した時点で、取引データベースＤ２にアクセスし、送金データを取得する。送金データには、ユーザＡ及びユーザＢの各取引口座ＩＤと、送金額とが含まれている。
【００２８】
処理サーバ６０では、送金データに基づいて、Ｘ銀行の銀行サーバ４０へ振替依頼データを送信する。Ｘ銀行では、口座Ｋ１から口座Ｋ２への振替を実行する。
【００２９】
本送金システム１０によれば、売買代金の送金を簡単、かつ、安全に行うことが可能となる。
【００３０】
次に、送金システム１０の変形例について説明する。上述した例では、ユーザＡ及びユーザＢが保有する取引口座は異なる銀行に開設された異なる口座としたが、これに限られない。すなわち、図４の（ａ）に示すように、Ｘ銀行の口座Ｋ３がＹ銀行に開設され、この口座Ｋ３から口座Ｋ２に売買代金の振替を行うようにしてもよい。
【００３１】
また、図４の（ｂ）に示すように、Ｘ銀行に仲介業者の口座Ｋ４、Ｙ銀行に仲介業者の口座Ｋ５を開設し、口座Ｋ１から口座Ｋ４へ振り替え、口座Ｋ５から口座Ｋ２に振り替えるようにしても良い。
【００３２】
さらに、図５の（ａ）に示すように、口座Ｋ１及び口座Ｋ２を予め同一銀行内に開設し、口座Ｋ１から口座Ｋ２に振り替えるようにしてもよい。
【００３３】
さらにまた、図５の（ｂ）に示すように、取引データベースＤ２内の口座残高管理を更新することで、振り替えを実行するようにしてもよい。
【００３４】
図６は上述した送金システム１０においてユーザＢ（売手）からユーザＡ（買手）に送金を要求する場合の処理手順を示す説明図である。最初にオークションサーバ９０にて、ユーザＢ（売手ユーザ）が出品し、ユーザＡ（買手ユーザ）が落札する取引が行われる。この取引の結果に基づいて取引データベースＤ２が更新される。
【００３５】
ユーザＢはユーザ端末３１により、処理サーバ６０の提供する送金要求のサイトにアクセスし、ユーザＩＤやパスワード等の入力によりユーザＢ本人からのアクセスであることの認証を行った後、送金要求の処理を行う。これによりユーザＡ及びユーザＢの個人ＩＤ、送金額を含む送金依頼データが処理サーバ６０に送られる。
【００３６】
処理サーバ６０では、送金要求データに基づいてユーザＢからユーザＡへの送金要求が正当なものであるか否かを、送金額取引データベース記憶部８０に照会する。これにより、オークションの取引とは無関係な不正な送金要求を防止することができる。
【００３７】
照会の結果、送金要求が正当な場合であると判断された場合は、送金要求データに基づいて、処理サーバ６０はユーザＡに対し、ユーザＢからの売買代金の送金要求を許可するか否かを問い合わせる電子メールを送付する。送金要求が正当でない場合には、その旨をユーザＢに通知し、処理を終了する。
【００３８】
ユーザＡはユーザ端末３０により、受領した電子メールに基づいて処理サーバ６０の提供する送金実行のサイトにアクセスする。ここで、ユーザＩＤやパスワード等の入力によりユーザＡ本人からのアクセスであることの認証を行った後、ユーザＡは送金実行の処理を行う。これにより送金実行データが処理サーバ６０に送られる。なお、ユーザＡが送金拒否の処理を行った場合には、送金拒否データが処理サーバ６０に送られ、処理サーバ６０ではその旨をユーザＢに通知し、処理を終了する。
【００３９】
次に、処理サーバ６０では、送金実行データを取得した時点で、取引データベースＤ２にアクセスし、送金データを取得する。送金データには、ユーザＡ及びユーザＢの各取引口座ＩＤと、送金額とが含まれている。
【００４０】
処理サーバ６０では、送金データに基づいて、Ｘ銀行の銀行サーバ４０へ振替依頼データを送信する。Ｘ銀行では、口座Ｋ１から口座Ｋ２への振替を実行する。
【００４１】
次に、本発明の第２の実施の形態に係る送金システム１０Ａについて説明する。上述した送金システム１０においては、売手と買手との取引に基づく送金としたが、本送金システム１０Ａでは、取引に基づかない送金依頼・送金要求にも対応するものである。なお、構成は図１と同様であるが、取引データベースＤ２の使用は必須ではない。
【００４２】
送金システム１０Ａでは、次のようにしてユーザＡ（第１ユーザ）からユーザＢ（第２ユーザ）へ送金が行われる。なお、ユーザ端末３０はユーザＡが用い、ユーザ端末３１はユーザＢが用いることとし、銀行サーバ４０を運営するＸ銀行にはユーザＡの口座Ｋ１、銀行サーバ４１を運営するＹ銀行にはユーザＢの口座Ｋ２が開設されていることとする。また、ユーザＡ，ユーザＢは予めユーザデータベースＤ１及び取引データベースＤ２への登録は終了しているものとし、オークション及び送金に用いるためのユーザＩＤ及びパスワードが設定されているものとする。
【００４３】
また、ユーザデータベースＤ１には、ユーザＩＤ、ユーザの氏名、住所、電話番号、パスワード、年齢、性別、メールアドレス、口座ＩＤ（取引口座ＩＤ）等が記録されている。
【００４４】
ユーザＡはユーザ端末３０により、処理サーバ６０の提供する送金依頼のサイトにアクセスし、ユーザＩＤやパスワード等の入力によりユーザＡ本人からのアクセスであることの認証を行った後、送金依頼の処理を行う。これによりユーザＡ及びユーザＢの個人ＩＤ、送金額を含む送金依頼データが処理サーバ６０に送られる。
【００４５】
次に、処理サーバ６０はユーザＢに対し、ユーザＡからの売買代金の送金を受領するか否かを問い合わせる電子メールを送付する。送金依頼が正当でない場合には、その旨をユーザＡに通知し、処理を終了する。
【００４６】
ユーザＢはユーザ端末３１により、受領した電子メールに基づいて処理サーバ６０の提供する送金受領のサイトにアクセスする。ここで、ユーザＩＤやパスワード等の入力によりユーザＢ本人からのアクセスであることの認証を行った後、ユーザＢは受領許可の処理を行う。これにより受領許可データが処理サーバ６０に送られる。なお、ユーザＢが受領不可の処理を行った場合には、受領不許可データが処理サーバ６０に送られ、処理サーバ６０ではその旨をユーザＡに通知し、処理を終了する。
【００４７】
次に、処理サーバ６０では、受領許可データを取得した時点で、ユーザデータベースＤ１にアクセスし、送金データを取得する。送金データには、ユーザＡ及びユーザＢの各取引口座ＩＤと、送金額とが含まれている。
【００４８】
処理サーバ６０では、送金データに基づいて、Ｘ銀行の銀行サーバ４０へ振替依頼データを送信する。Ｘ銀行では、口座Ｋ１から口座Ｋ２への振替を実行する。
【００４９】
本送金システム１０Ａによれば、売買代金の送金を簡単、かつ、安全に行うことが可能となる。
【００５０】
なお、本発明は前記実施の形態に限定されるものではない。すなわち、上述した実施の形態ではオークションの売買代金の送金に用いているが、オンラインショッピングの代金の送金に用いても良い。この場合にはオンライン商店がメインサーバを開設し、自らもユーザ端末を保有することになる。また、送金依頼や送金要求に際し、送金実行日や送金期限日等を設定するようにしてもよい。さらに、仲介業者がオークションと送金処理の両方を行っているが、別々の業者であってもよい。この他、本発明の要旨を逸脱しない範囲で種々変形実施可能であるのは勿論である。
【００５１】
【発明の効果】
本発明によれば、売買代金の送金を簡単、かつ、安全に行うことが可能となる。
【図面の簡単な説明】
【図１】本発明の第１の実施の形態に係る送金システムの構成を示す図である。
【図２】同送金システムの送金の手順を示す説明図。
【図３】同送金システムの送金指令について示す説明図。
【図４】同送金指令の変形例を示す説明図。
【図５】同送金指令の別の変形例を示す説明図。
【図６】本発明の第２の実施の形態に係る送金システムにおける手順を示す説明図。
【符号の説明】
１０…送金システム
２０…通信回線
３０，３１…ユーザ端末
４０，４１…銀行サーバ
５０…メインサーバ
６０…処理サーバ
７０…ユーザデータベース記憶部
８０…取引データベース記憶部
９０…オークションサーバ
【図１】
0004852200.tif 000002
【図２】
0004852200.tif 000003
【図３】
0004852200.tif 000004
【図４】
0004852200.tif 000005
【図５】
0004852200.tif 000006
【図６】
0004852200.tif 000007